(57)【特許請求の範囲】
【請求項１】
複数のパネル（10）を長蝶番（20）を介して折りたたみ可能に連結し、１つおきのパネル上端面に設けたスライダ（11）又はランナー（12）によってハンガーレール（30）に水平回動自在に、かつハンガーレール長手方向移動可能に吊り、前記長蝶番の上端面に設けた上蝶番（18）により、前記長蝶番に対するパネルの展開及び折りたたみ位置を規制するようにした折りたたみパネル装置であって、前記上蝶番から前記長蝶番の中央を上下に貫通するガイドピン（52）を設け、前記長蝶番に前記ガイドピンを上下摺動自在に保持するホルダ（57）を設け、前記ホルダ（57）に前記ガイドピン（52）を上方へ押し上げるばね（58）を設けて前記上蝶番の中央から突出する前記ガイドピンの頭部（53）を前記ハンガーレールのレール溝（31）に挿入し、前記長蝶番に前記ガイドピンを操作するスライドノブ（60）を設けて前記ガイドピンを前記レール溝から抜き下げるようにしたことを特徴とする間仕切用折りたたみパネル装置。
【請求項２】
ハンガーレール（３０）の底に中央のレール溝（３１）に対して下降する傾斜面（５９）を設けたことを特徴とする請求項１記載の間仕切用折りたたみパネル装置。
【請求項３】
上蝶番（18）にパネルをパネル折りたたみ方向に回動させるねじりばね（44）を設けたことを特徴とする請求項１記載の間仕切用折りたたみパネル装置。
【発明の詳細な説明】
【０００１】
【産業上の利用分野】
本発明は間仕切り、クローゼット等に使用する吊り下げ方式の折りたたみパネル装置の折りたたみ機構の改良に関するものである。
【０００２】
【従来の技術】
複数枚のパネルを長蝶番を介して展開及び折りたたみ可能に連結し、複数枚のパネルを一枚おきにランナーを介してハンガーレールに水平回動可能にかつハンガーレール長手方向移動自在に吊るしてなる折りたたみパネル装置は、特開平４−３６８５８５号によって公知である。
【０００３】
【発明が解決しようとする課題】
上記折りたたみパネル装置は、展開したときに全パネルを一直線に整列させるために、パネルを連結する長蝶番の上端面に上蝶番を設け、上蝶番のカムとフォロワの摺接面同士をばねを介して密着させている。パネルを折りたたむとき、フォロワをカムに対して摺動させなければならないが、ばねの力が強いと、摺動初期にかなり強い力を必要とするため、折りたたみがしにくくなる。しかし、ばねの力を弛めると、折りたたみは楽になるが、展開したときにパネルが一直線に整列しないという問題が生ずる。
【０００４】
本発明はこの問題を解決するためになされたものであり、パネルは楽に折りたたむことが可能であるが、展開したときはパネルを一直線に整列させることができる折りたたみパネル装置を提供することにある。
【０００５】
【課題を解決するための手段】
前記目的を達成するため、本発明が採用する手段は、長蝶番が連結するパネル左右方向と長蝶番左右方向が一致するパネル展開位置において、長蝶番の上端面に付設した上蝶番の中央からガイドピンを突出させてハンガーレールのレール溝に挿入したことにある。ガイドピンはばねの弾性反発力で上昇させ、手動で下降させる。必要に応じて、上蝶番にパネルを折りたたむ方向に付勢するばねを設けてもよい。
【０００６】
【作用】
折たたみパネル装置を展開したとき、両側のパネルを連結する上蝶番の中央から突出するガイドピンはばねの弾性反発力で押し上げられてハンガーレールのレール溝にはまるから、その上蝶番と一体の長蝶番は必ずハンガーレールの中央に位置し、それらの蝶番によって連結された片側のパネルのランナーもハンガーレールのレール溝にはまるから、ガイドピンとランナーによってそのパネルの左右方向（幅方向）は必ずハンガーレールの長手方向と一致する。したがって、上蝶番のばねを強くしてパネルの左右方向を規制しなくても、パネルを一直線に整列させることができる。
【０００７】
パネルを折りたたむとき、ガイドピンをハンガーレールのレール溝から手動で抜き下げるが、このとき、上蝶番のパネル左右方向を規制するばねの力が小さければ、折りたたみ操作は至極楽である。特に、上蝶番にパネルを折りたたむ方向に作用するねじりばねを設けた場合は、ガイドピンを抜き下げただけで、自動的にパネルはねじりばねにより折りたたまれる。
【０００８】
【実施例】
本発明の装置を図面に示す実施例に基づいて説明する。
図１に示すように、４枚のパネルをパネル幅方向側面全長にわたって装着した長蝶番２０によって連結し、先頭パネル１０ａ及びそれから末尾側へ一枚おいた中間パネル１０ｃに取り付けたランナー１２と末尾パネル１０ｄに取り付けたスライダ１１によってハンガーレール３０に吊り下げる。先頭パネル１０ａの先頭側端面及び末尾パネル１０ｄの末尾側端面には全長にわたってクッション２９を装着する。各パネル１０はそれぞれの長蝶番２０の軸部と一体の縦枠２１と、幅方向両側の縦枠２１を連結する横枠１３と、上下の横枠１３の間に挿入したスペーサ１４とから構成する。ランナー１２はパネル１０ａ、１０ｃの幅方向の先頭側端部上面に、スライダ１１は末尾パネル１０ｄの幅方向末尾側端部上面にそれぞれ位置する。長蝶番２０の上端面に上蝶番１８を取り付け、その上蝶番を介して隣接するパネルの縦枠２１の上端部を連結する。先頭パネル１０ａと次のパネル１０ｂの間の上蝶番１８の中央からガイドピン５２を突出させてハンガーレール３０のレール溝３１に挿入する。
【０００９】
図２及び図３に示すように、パネル１０の縦枠２１は長蝶番２０のパネル連結部と共通であり、縦枠２１の軸部２５は長蝶番２０の中間体２４に９０度回転可能に軸受けされる。上蝶番１８のセンターケース３２は長蝶番２０の中間体２４の上端面に取り付けられる。上蝶番１８の左右のサイドケース３７は、長蝶番２０の軸部２５に同軸にねじ止めした回転軸３３を中心としてセンターケース３２に相互回動自在に連結される。サイドケース３７は止めねじ３４によって縦枠２１に固定される。
【００１０】
左右の回転軸３３を中心とする環状のばね溝４７をセンターケース３２に設け、そのばね溝の外側に中心角９０度のカム面４０を形成する。必要であれば、ばね溝４７にはコイル状のねじりばね４４をはめる。左右のサイドケース３７にフォロワ４２を左右に摺動自在に設け、そのフォロワ４２の先端を図外のばねによりカム面４０に当接させる。図示していないが、サイドケースの左右方向がセンターケースの左右方向に一致するとき、フォロワの先端はカム面の一方の凹部にはまり、サイドケースの左右方向がセンターケースの左右方向に直交するとき、フォロワの先端はカム面の他方の凹部にはまる。
【００１１】
センターケース３２の中央孔５０から中間体２４の内部にトップガイド５１を固定し、そのトップガイド５１にガイドピン５２を挿入する。ガイドピン５２の頭部５３はセンターケース３２の中央孔から出入可能であり、軸部５４はトップガイド５１の底孔を貫通する。長蝶番２０の上下方向の中央近くにスライドノブ６０を上下摺動自在に取り付け、そのスライドノブ６０にボルト５７を通す。ボルト５７はガイドピン２５の下端部を通るから、スライドノブ６０を上下に摺動すると、ガイドピン５２も一体となって上下に摺動する。
【００１２】
ねじりばね４４を上蝶番１８のばね溝４７に装着した場合、図３に示すように、ねじりばねの一端はセンターケース３２に設けたばね取付孔４５に係止し、他端はサイドケース３７のばね取付孔４６に係止する。ねじりばねは、実線で示すサイドケース３７の左右方向がセンターケース３２の左右方向に一致する位置から、鎖線で示す位置へ、すなわち展開したパネル１０を折りたたむ方向に弾性反発力を作用する。
【００１３】
図４（ａ）に示すように、ガイドピン５２の軸部５４は長蝶番２０の中間体２４の内部を延長し、その下端はエンドピース５５にねじ込まれる。エンドピース５５は筒状のエンドピースホルダ５６に上下方向摺動可能に保持され、エンドピースホルダ５６は中間体２４に止めねじにより固定される。中間体２４のエンドピースホルダ５６を固定した位置の前後両面に上下方向のスライド孔６１をあけ、その前後のスライド孔にスライドノブ６０を上下摺動自在にはめる。ボルト５７を介してエンドピース５５と前後のスライドノブ６０を一体に連結し、エンドピース５５を押し上げるばね５８をエンドピースホルダ５６内に設ける。スライドノブ６０を操作しないときは、ばね５８がガイドピン５２を押し上げ、上蝶番２０から突出する頭部５３をハンガーレール３０のレール溝３１に挿入するから、上蝶番２０によって連結された両側のパネルは位置が規制され、ハンガーレール長手方向に一直線に整列する。
【００１４】
図４（ｂ）に矢印Ａで示すように、スライドノブ６０をばね５８に抗して下げると、ガイドピン５２の頭部５３がレール溝３１から抜ける。ガイドピン５２がレール溝３１から抜けると、手動又はねじりばねにより、両側のパネルは簡単に折れて連結部分はガイドレール３０の長手方向に対して垂直に移動する。ついで、スライドノブを解放すると、ばね５８の反発力で再びガイドピン５２は図４（ａ）に示すようにスライドノブ６０と共に押し上げられる。
【００１５】
ハンガーレール３０の底面は中央のレール溝３１に対して下降する斜面５９に形成したから、ガイドピン５２の頭部５３を斜面５９に沿って押すと、ガイドピン５２はばね５８に抗して簡単に下降する。したがって、ハンガーレール３０から外れたガイドピン５２を再びハンガーレール３０のレール溝３１にはめるときは、スライドノブ６０を下げなくても、ガイドピン５２の頭部５３をハンガーレール３０の斜面５９に交差するように押すだけでよい。
【００１６】
【発明の効果】
上記のとおり、本発明の装置は、従来の上蝶番の回転角度を規制するカムに作用するばねを強くして展開したパネルをハンガーレール長手方向に一直線に整列させていたものとは異なり、パネルを連結する上蝶番の中央から突出するガイドピンを上下操作可能に設け、そのガイドピンをハンガーレールのレール溝にはめて、展開したパネルをハンガーレール長手方向に一直線に整列させるから、上蝶番のカムに作用するばねを強くする必要はなく、ガイドピンをハンガーレールのレール溝から抜き下げると、両側のパネルは手動で楽に、又はねじりばねによって自動的に折りたたむことができるという優れた効果を奏する。
【図面の簡単な説明】
【図１】は本発明の一実施例の装置を備えた間仕切を一部断面で示す正面図、
【図２】は図１の装置の要部の左右方向断面図、
【図３】は図１の装置の平面図、
【図４】は図２の前後方向断面図、
【符号の説明】
１０：パネル、１１：スライダ、１２：ランナー、１３：横枠、１４：スペーサ、１８：上蝶番、２０：長蝶番、２１：縦枠、２４：中間体、２５：軸部、２９：クッション、３１：レール溝、３２：センターケース、３３：回転軸、３４：止めねじ、３７：サイドケース、４０：カム面、４３：斜面、４４：ねじりばね、４５、４６：ばね取付孔、４７：ばね溝、５０：中央孔、５１：トップガイド、５２：ガイドピン、５３：頭部、５４：軸部、５５：エンドピース、５６：ガイドピンホルダ、５７：ボルト、５８：ばね、５９：斜面、６０：スライドノブ
【図１】
0003627758.tif 000002
【図２】
0003627758.tif 000003
【図３】
0003627758.tif 000004
【図４】
0003627758.tif 000005